(57)【要約】【課題】操作性がよく、省電力な携帯機器を提供する。【解決手段】デジタルカメラ１０の背面には操作ボタン４１〜４９が設けられている。各操作ボタン４１〜４９の表面には表示パネル６１〜６９が配置され、各操作ボタン４１〜４９に割り当てられた機能を説明するマークが表示される。通常動作モードにおいて、表示パネル６１〜６９の明るさは、レベル０〜３の４段階で切り替え可能となっており、画面調節モードにおいて設定できる。通常動作モードにおいて無操作状態が継続され節電モードに移行すると、表示パネル６１〜６９の明るさがレベル０に切り替えられる。【選択図】図５
2007159016.tif 000002
【特許請求の範囲】
【請求項１】
機器の動作モードに応じて割り当てられる機能が変化する操作ボタンと、
前記操作ボタンの表面に配置される表示手段と、
前記操作ボタンに割り当てられた機能に応じた画像を前記表示手段に表示させるとともに、前記画像の明るさを前記動作モードに応じて切り替える表示制御手段とを備えたことを特徴とする携帯機器。
【請求項２】
通常動作モードと節電モードとを備え、前記表示制御手段は、節電モードにおける画像の明るさが、通常動作モードにおける画像明るさに対して暗くなるように、前記画像の明るさを切り替えることを特徴とする請求項１記載の携帯機器。
【請求項３】
通常動作モードにおいて所定時間無操作状態が継続された際に、節電モードへの切り替えを行うモード切り替え手段を備えたことを特徴とする請求項２記載の携帯機器。
【請求項４】
前記画像は、前記機能を説明する文字もしくはマーク部分と、背景部分とからなり、
前記表示制御手段は、通常動作モードから節電モードに切り替えられた際に、前記画像の文字もしくはマーク部分と背景部分の明るさを反転させることを特徴とする請求項２または３記載の携帯機器。
【請求項５】
請求項１〜４いずれか記載の携帯機器に、被写体像を光電変換した撮像信号を出力するイメージセンサを設けたことを特徴とするデジタルカメラ。
【発明の詳細な説明】
【技術分野】
【０００１】
本発明は、携帯機器及びデジタルカメラに関するものである。
【背景技術】
【０００２】
携帯電話やデジタルカメラなどの携帯機器では、操作ボタン数の増加を抑え、小型化を実現するために、１つの操作ボタンに複数の機能が割り当てられる。そして、例えば、デジタルカメラでは、撮影モードや再生モードなどの動作モードが切り替えられると、この切り替えに伴って操作ボタンの機能も切り替わるようになっている。また、操作ボタンの表面には、この操作ボタンが有する機能を表す画像がプリントされ、誤操作を防止するようになっている。
【０００３】
しかし、１つのボタンが有する機能が多くなるほど、操作ボタンにプリントされた画像が複雑で見づらくなってしまうといった問題があった。このため、下記特許文献１には、タッチパネルを用い、画像を切り替え表示する装置が記載されている。この装置によれば、現在割り当てられている機能のみを表す画像が表示されるため簡潔で見やすい。
【特許文献１】特開平１０−２７０５３号公報
【発明の開示】
【発明が解決しようとする課題】
【０００４】
しかしながら、タッチパネルは操作感が得がたく、操作性が悪いといった問題がある。また、上記特許文献記載の装置では、複数の操作ボタンに代えて大型のタッチパネルを用いており、消費電力が増大してしまうといった問題がある。
【０００５】
本発明は、操作性がよく、また、消費電力を抑えることのできる携帯機器及びデジタルカメラを提供することを目的としている。
【課題を解決するための手段】
【０００６】
上記目的を達成するために、本発明の携帯機器は、機器の動作モードに応じて割り当てられる機能が変化する操作ボタンと、前記操作ボタンの表面に配置される表示手段と、前記操作ボタンに割り当てられた機能に応じた画像を前記表示手段に表示させるとともに、前記画像の明るさを前記動作モードに応じて切り替える表示制御手段とを備えたことを特徴としている。
【０００７】
通常動作モードと節電モードとを備え、前記表示制御手段は、節電モードにおける画像の明るさが、通常動作モードにおける画像明るさに対して暗くなるように、前記画像の明るさを切り替えることが好ましい。
【０００８】
また、通常動作モードにおいて所定時間無操作状態が継続された際に、節電モードへの切り替えを行うモード切り替え手段を備えていることが好ましい。
【０００９】
さらに、前記画像は、前記機能を説明する文字もしくはマーク部分と、背景部分とからなり、前記表示制御手段は、通常動作モードから節電モードに切り替えられた際に、前記画像の文字もしくはマーク部分と背景部分の明るさを反転させるものでもよい。
【００１０】
また、上記目的を達成するために、本発明のデジタルカメラは、上述した携帯機器に、被写体像を光電変換した撮像信号を出力するイメージセンサを設けたことを特徴としている。
【発明の効果】
【００１１】
本発明によれば、操作ボタンの表面に表示手段を設け、操作ボタンの機能に応じた画像を表示するようにしたので、タッチパネルと比較して操作性がよい。また、動作モードに応じて画像の明るさを切り替えることで消費電力を抑えることができる。
【発明を実施するための最良の形態】
【００１２】
図１および図２において、本発明を適用したデジタルカメラ１０は、カメラ本体１２の前面に、ストロボ発光部１４、並びに撮像レンズ１６を保持するレンズ鏡胴１８が組み込まれている。カメラ本体１２の上面には、電源ボタン２０、モード選択ボタン２２、レリーズボタン２４が設けられている。また、カメラ本体１２の側面には、メモリカード２６（図５参照）が着脱自在に装填されるメモリカードスロットを覆う蓋２８が設けられている。
【００１３】
デジタルカメラ１０は、通常動作モードとして、撮影を行う撮影モード、撮影済みの画像を再生表示する再生モード、各種設定を行うためのメニューモードを備え、モード選択ボタン２２を押下することで各モードの切り替えを行うことができる。また、撮影モード内には近接撮影モードやセルフタイマ使用モードが設けられ、メニューモード内には各種画面の調節を行うための画面調節モードが設けられている。さらに、デジタルカメラ１０は、これら通常動作モードに加え、消費電力を抑えるための節電モードを備えている。詳しくは後述するが、節電モードがオンに設定されている場合、通常動作モードにおいて無操作状態が一定時間継続されると自動的に節電モードへ以降し、消費電力の軽減が図られる。
【００１４】
レリーズボタン２４は、２段階押しのスイッチとなっており、撮影モードにおいて軽く押圧（半押し）すると、自動露出調整（ＡＥ）、自動焦点調整（ＡＦ）などの各種撮影準備処理が施される。この状態でレリーズボタン２４をもう１度強く押圧（全押し）すると、撮影準備処理が施された１画面分の撮像信号が画像データに変換された後、後述する画像処理および圧縮処理が施され、メモリカード２６に記憶される。
【００１５】
カメラ本体１２の背面には、各種表示を行うモニタとして機能する液晶表示装置（ＬＣＤ）３０、および各種操作を行う入力手段として機能する操作部３２が設けられている。ＬＣＤ３０には、撮影モードではいわゆるスルー画像が表示され、再生モードではメモリカード２６に記録済みの画像が再生表示され、メニューモードでは各種設定を行うためのメニュー画面が表示される。
【００１６】
操作部３２には、複数の操作ボタン４１〜４９が設けられている。図３に示すように、操作ボタン４１は、操作部材５０と、この操作部材の背後に配置される押圧検知式のスイッチ５２とを備えている。操作部材５０はバネ５４によってスイッチ５２から遠ざかる方向へ付勢されており、この付勢に抗してスイッチ５２へ向けて押圧操作されると、スイッチ５２が作動して操作信号がカメラ本体１２に入力される。
【００１７】
また、操作ボタン４１には、操作部材５０の表面に表示パネル６１が設けられている。図４に示すように、表示パネル６１は、複数の画素６１ａがマトリクス状に配列されたドットマトリクス式の有機ＥＬディスプレイから構成され、ドライバ７１により駆動される。各画素６１ａは、印加電圧値に応じた明るさに発光する発光素子を備え、ドライバ７１は、各画素６１ａ毎の駆動電圧値を調節することで画素毎の明るさを変化させて画像を形成する。表示パネルの駆動方式としては、駆動電圧の印加方法が異なるパッシブマトリクス方式とアクティブマトリクス方式とがあるが、いずれの方式により駆動してもよい。
【００１８】
同様にして、操作ボタン４２〜４９も操作部材とスイッチとを備えている。そして、操作ボタン４２〜４９は、押圧操作されるとこれを示す操作信号をカメラ本体１２に入力する。また、各操作ボタン４２〜４９の操作部材には、その表面にそれぞれ表示パネル６２〜６９が配置されている（図２参照）。そして、各表示パネル６２〜６９は、それぞれドライバ７２〜７９（図７参照）により駆動されて各種画像を表示する。
【００１９】
各操作ボタン４１〜４９に割り当てられる機能は、デジタルカメラ１０の動作モードに応じて変化するようになっている（図６参照）。例えば、撮影モードにおいては、操作ボタン４１、４２を操作することでズーム倍率の変倍が行われ、操作ボタン４４を操作することで画面調節モードに移行し、操作ボタン４５を操作することで近接撮影モードに移行し、操作ボタン４７を操作することでストロボ発光モードの切り替えが行われ、操作ボタン４８を操作することでセルフタイマ使用モードに移行する（図９参照）。
【００２０】
また、再生モードにおいては、操作ボタン４１、４２を操作することで再生画像の拡大および縮小が行われ、操作ボタン４３を操作することで記録済みの画像データのプリント条件を指定するためのプリント条件指定モードに移行し、操作ボタン４４を操作することで再生画像の消去が行われ、操作ボタン４５、４７を操作することで再生画像のコマ戻しおよびコマ送りが行われる（図１０参照）。また、再生モードにおいて、再生画像がＬＣＤ３０の画面よりも大きく拡大された際には、操作ボタン４４、４５、４７、４８により再生画像の表示範囲を移動させることができ、操作ボタン４９を操作することで画像の拡大、縮小が解除される（図１１参照）。
【００２１】
さらに、メニューモードにおいては、操作ボタン４４、４５、４７、４８を操作することで、メニュー画面内に表示されるカーソルが移動表示され、操作ボタン４６を操作することでカーソルにより選択された項目の内容が決定され、操作ボタン４９を操作することで１つ前の画面に戻ることができる（図１２参照）。
【００２２】
このように、１つの操作ボタンに複数の機能を割り当てることによって、操作ボタンの数を減らし、デジタルカメラ１０を小型化している。もちろん、操作ボタンの数や配置位置、並びに、動作モードの種類や各動作モードにおいて割り当てる機能は上記に限定されるものではなく適宜変更できる。
【００２３】
デジタルカメラ１０の電気的構成を示す図５において、撮像レンズ１６には、レンズモータ９０が接続されている。また、絞り９２には、アイリスモータ９４が接続されている。これらのモータ９０、９４はステッピングモータからなり、ＣＰＵ９６に接続されたモータドライバ９８、１００から送信される駆動パルスにより動作制御され、レリーズボタン２４の半押しに伴う撮影準備処理を行う。
【００２４】
レンズモータ９０は、ズーム操作に連動して、撮像レンズ１６のズームレンズをワイド側、あるいはテレ側に移動させる。また、ズームレンズの変倍などに応じて撮像レンズ１６のフォーカスレンズを移動させ、撮影条件が最適となるように焦点調整を行う。アイリスモータ９４は、絞り９２を動作させ、露出調整を行う。
【００２５】
撮像レンズ１６の背後には、撮像レンズ１６を透過した被写体像が撮像されるＣＣＤ１０２が配置されている。ＣＣＤ１０２には、ＣＰＵ９６によって制御されるタイミングジェネレータ（ＴＧ）１０４が接続され、このＴＧ１０４から入力されるタイミング信号（クロックパルス）により、電子シャッタのシャッタ速度が決定される。
【００２６】
ＣＣＤ１０２から出力された撮像信号は、相関二重サンプリング回路（ＣＤＳ）１０６に入力され、ＣＣＤ１０２の各画素の蓄積電荷量に正確に対応したＲ、Ｇ、Ｂの画像データとして出力される。ＣＤＳ１０６から出力された画像データは、増幅器（ＡＭＰ）１０８で増幅され、Ａ／Ｄ変換器（Ａ／Ｄ）１１０でデジタルの画像データに変換される。
【００２７】
画像入力コントローラ１１２は、バス１１４を介してＣＰＵ９６に接続され、ＣＰＵ９６の制御命令に応じて、ＣＣＤ１０２、ＣＤＳ１０６、ＡＭＰ１０８、およびＡ／Ｄ１１０を制御する。Ａ／Ｄ１１０から出力された画像データは、ＳＤＲＡＭ１１５に一時記録される。
【００２８】
画像信号処理回路１１８は、ＳＤＲＡＭ１１５から画像データを読み出して、階調変換、ホワイトバランス補正、γ補正処理などの各種画像処理を施し、この画像データを再度ＳＤＲＡＭ１１５に記録する。ＹＣ変換処理回路１２０は、画像信号処理回路１１８で各種処理を施された画像データをＳＤＲＡＭ１１５から読み出し、輝度信号Ｙと色差信号Ｃｒ、Ｃｂとに変換する。
【００２９】
ＶＲＡＭ１２２は、ＬＣＤ３０にスルー画像を出力するためのメモリであり、画像信号処理回路１１８、ＹＣ変換処理回路１２０を経た画像データが格納される。ＶＲＡＭ１２２には、画像データの書き込みと読み出しを並行して行えるように、２フレーム分のメモリ１２２ａ、１２２ｂが確保されている。ＶＲＡＭ１２２に格納された画像データは、ＬＣＤドライバ１２４でアナログのコンポジット信号に変換され、ＬＣＤ３０にスルー画像として表示される。
【００３０】
圧縮伸長処理回路１２６は、ＹＣ変換処理回路１２０でＹＣ変換された画像データに対して、所定の圧縮形式（例えばＪＰＥＧ形式）で画像圧縮を施す。圧縮された画像データは、メディアコントローラ１２８を経由してメモリカード２６に記憶される。
【００３１】
ＣＰＵ９６は、デジタルカメラ１０を統括的に制御するために設けられ、ＥＥＰＲＯＭ１３０に記録された各種制御用のプログラムや設定情報などを作業用メモリであるＳＤＲＡＭ１１５に読み出して接続された各部を駆動制御する。ＣＰＵ９６による制御は、前述のレリーズボタン２４、モード選択ボタン２２、電源ボタン２０、並びに、操作部３２の各操作ボタン４１〜４９から入力される操作信号に基づいて行われる。
【００３２】
ＣＰＵ９６には、機能割り当てテーブル１３２と、表示制御部１３４とが設けられている。図６に示すように、機能割り当てテーブル１３２には、各操作ボタン４１〜４９（図中ボタンＡ〜Ｉと表記した）に割り当てる機能の内容と、デジタルカメラ１０の動作モードとの対応関係が記憶されている。ＣＰＵ９６は、各操作ボタン４１〜４９から操作信号が入力されると、現在の動作モードを調べた後、機能割り当てテーブル１３２を参照し、各操作ボタン４１〜４９に割り当てられた機能を実行する。
【００３３】
各操作ボタン４１〜４９の駆動機構を示す図７において、表示制御部１３４は、表示パネル６１〜６９を駆動するドライバ７１〜７９に接続されている。そして、表示制御部１３４は、これらドライバ７１〜７９を制御して、各表示パネル６１〜６９に画像を表示させる。表示制御部１３４は、現在の動作モード、並びに、機能割り当てテーブル１３２に基づき、操作ボタン４１〜４９のそれぞれについて、割り当てられた機能の有無および機能の種類を調べる。そして、割り当てられた機能を説明するためのマークをこの操作ボタンに対応する表示パネルに表示する。
【００３４】
図８に示すように、撮影モードにおいて表示制御部１３４は、表示パネル６１、６２にズーム倍率を変倍させる機能を表すマークを表示させ、表示パネル６４に画面調節モードへ移行させる機能を表すマークを表示させ、表示パネル６５に近接撮影モードへ移行させる機能を表すマークを表示させ、表示パネル６７にストロボ発光モードを切り替える機能を表すマークを表示させ、表示パネル６８にセルフタイマ使用モードへ移行させる機能を表すマークを表示させる。またこのとき、ＣＰＵ９６は、ＬＣＤドライバ１２４を駆動し、ＬＣＤ３０に現在のデジタルカメラ１０のモードが撮影モードであることを表すマークを表示する。
【００３５】
図９に示すように、再生モードにおいて表示制御部１３４は、表示パネル６１、６２に再生画像を拡大、縮小させる機能を表すマークを表示させ、表示パネル６３にプリント条件指定モードに移行させる機能を表すマークを表示させ、表示パネル６４に画像を消去する機能を表すマークを表示させ、表示パネル６５、６７に画像をコマ送り、コマ戻しさせる機能を表すマークを表示させる。また再生モードにおいて、ＣＰＵ９６は、ＬＣＤ３０にデジタルカメラ１０のモードが再生モードであることを表すマークを表示する。
【００３６】
再生モードにおいて再生画像がＬＣＤ３０の画面よりも大きく拡大された場合、表示制御部１３４は、図１０に示すように、表示パネル６４、６５、６７、６８に再生画像を上下左右に移動表示させる機能を表すマークを表示させ、表示パネル６９に再生画像の拡大、縮小を解除する機能を表すマークを表示させる。
【００３７】
図１１に示すように、メニューモードにおいて表示制御部１３４は、表示パネル６４、６５、６７、６８にカーソルを上下左右に移動表示させる機能を表すマークを表示させ、表示パネル６６にカーソルにより選択した項目を決定する機能を表すマークを表示させ、表示パネル６９に１つ前の画面に戻る機能を表すマークを表示させる。またメニューモードにおいて、ＣＰＵ９６は、ＬＣＤ３０にデジタルカメラ１０のモードがメニューモードであることを表すマークを表示する。
【００３８】
また、ＣＰＵ９６にはタイマ１３５、および、モード切り替え部１３６が設けられ（図５参照）、表示制御部１３２には明るさ制御部１３７が設けられている（図５、図７参照）。タイマ１３５は、例えば、所定間隔でクロック信号を発生する発振回路を備え、この発振回路を利用して時を刻んでおり、撮影画像に撮影日時を添付する際や、セルフタイマ使用モードにおいてシャッタレリーズを行うタイミングの制御、および、節電モードへ移行する時間のカウントに用いられる
【００３９】
モード切り替え部１３６は、モード選択ボタン２２の操作に応じて通常動作モード内で動作モードの切り替えを行う他、通常モードにおける無操作状態の時間をタイマ１３５により計測し、一定時間無操作状態が継続された場合、デジタルカメラ１０を節電モードに移行させる。また、モード切り替え部１３６は、撮影モードにおいて操作ボタン４４が操作された際にデジタルカメラ１０を画面設定モードに移行させる。
【００４０】
画面設定モードにおいて、ＣＰＵ９６は、図１２に示す設定画面１４０をＬＣＤ３０に表示する。設定画面１４０には、通常動作モードにおけるＬＣＤ３０および表示パネル６１〜６９の明るさを設定するためのタグ１４１〜１４８、節電モードのオンオフ設定を行うためのタグ１４９、１５０、通常動作モードにて無操作状態が継続された際の節電モードへ以降するまでの時間を設定するためのタグ１５１〜１５３、画面設定モードを終了するためのタグ１５４、および、各タグ１４１〜１５４を選択するためのカーソル１５５が表示される。
【００４１】
タグ１４１〜１４４が選択されるとＣＰＵ９６は、選択されたタグ内に記載された数字に応じて、ＬＣＤ３０の画面の明るさを最も暗い０から最も明るい３の間で４段階に切り替える。一方、タグ１４５〜１４８が選択されると、明るさ調節部１３７が表示パネル６１〜６９の明るさの切り替えを行う。明るさ調節部１３７は、選択されたタグ内に記載された数字に応じて、表示パネル６１〜６９の明るさを、最も暗いレベル０から最も明るいレベル３の間で４段階に切り替える。
【００４２】
また、明るさ調節部１３７は、デジタルカメラ１０が節電モードへ以降すると、表示パネル６１〜６９の明るさをレベル０に切り替える。こうすることで、電力の消費量を抑えることができる。なお、節電モードにおいては表示パネル６１〜６９の明るさを通常動作モードの時よりも暗くして節電すればよい。このため、節電モードに移行した際に、上述したようにレベル０に切り替える場合に限定されず、例えば、通常動作モードの際に設定された明るさレベルよりも一定レベルだけ明るさレベルを下げるといったことも考えられる。
【００４３】
また、表示パネルの明るさを切り替える方法としては、表示パネルの画面全体の明るさを切り替える方法や、図１３に示すように、表示パネルの画面１６０をマークの表示されたマーク部分１６２とマーク以外の背景部分１６４とに区分し、少なくとも一方の明るさを切り替える方法などが考えられるがこれらのいずれを用いてもよい。マーク部分と背景部分を区別して明るさ切り替える場合は、明るさレベルが高くなるほど画面のコントラストが高くなるようにマーク部分と背景部分の明るさを決定すればよい。
【００４４】
さらに、通常動作モードから節電モードへ移行する際に、マーク部分と背景部分の明暗を反転させるといったことも考えられる。この場合、例えば、図１４に示すように、マーク部分１６２と背景部分１６４の明るさを区別して切り替えるようにするとともに、通常モードにおいては、マーク部分１６２の明るさを固定し、背景部分１６４の明るさを最も明るい同図（Ａ）から最も暗い同図（Ｄ）の間の４段階で切り替え自在にして、画面調節モードにてユーザーに選択させる。
【００４５】
そして、通常モードにおいて同図（Ａ）の明るさが選択された状態で節電モードに移行した場合は、同図（ａ）に示すようにマーク部分１６２と背景部分１６４の明暗を反転させる。同様に、通常モードにおいて同図（Ｂ）の明るさが選択された状態で節電モードに移行した場合は同図（ｂ）に示すように、同図（Ｃ）の明るさが選択された状態で節電モードに移行した場合は同図（ｃ）に示すように、同図（Ｄ）の明るさが選択された状態で節電モードに移行した場合は、同図（ｄ）に示すように、マーク部分１６２と背景部分１６４の明暗を反転させる。このように明るさを切り替えても上述した実施形態と同様の効果を得ることができる。
【００４６】
また、上記実施形態では、通常動作モードと節電モードとの間で切り替えが行われた際に表示パネルの明るさを切り替える例で説明をしたが、これに限定されず、通常動作モード内における動作モードの切り替えに応じて表示パネルの明るさを切り替えるようにしてもよい。例えば、撮影モードとして、夜景を撮影するための夜景モードなどを備えたデジタルカメラでは、夜景モード中は表示パネルが見にくいといったことが考えられる。このような場合、デジタルカメラが夜景モードにセットされた際に表示パネルの明るさを、例えば１段階明るくすればよい。こうすることで、表示パネルが見やすくなり便利である。
【００４７】
なお、上記実施形態では、デジタルカメラを例に説明をしたが、本発明はこれに限定されるものではない。例えば、携帯電話やＰＤＡ（Ｐｅｒｓｏｎａｌ  Ｄｉｇｉｔａｌ  Ａｓｓｉｓｔａｎｃｅ）などデジタルカメラ以外の携帯機器に本発明を適用してもよい。
【図面の簡単な説明】
【００４８】
【図１】デジタルカメラの前面側外観図である。
【図２】デジタルカメラの背面側平面図である。
【図３】操作ボタンの構成を表す説明図である。
【図４】表示パネルの構成を表す説明図である。
【図５】デジタルカメラの構成図である。
【図６】各動作モードと、操作ボタンに割り当てられる機能との対応関係を表す説明図である。
【図７】操作ボタンを駆動する駆動機構の構成図である。
【図８】表示パネルへの表示の一例を表す説明図である。
【図９】表示パネルへの表示の一例を表す説明図である。
【図１０】表示パネルへの表示の一例を表す説明図である。
【図１１】表示パネルへの表示の一例を表す説明図である。
【図１２】操作ボタンの明るさを設定する設定画面を表す説明図である。
【図１３】表示パネルの明るさ制御の一例を表す説明図である。
【図１４】表示パネルの明るさ制御の一例を表す説明図である。
【符号の説明】
【００４９】
１０  デジタルカメラ
３０  ＬＣＤ
３２  操作部
４１〜４９  操作ボタン
６１〜６９  表示パネル
７１〜７９  ドライバ
９６  ＣＰＵ
１３２  機能割り当てテーブル
１３４  表示制御部
１３５  タイマ
１３６  モード切り替え部
１３７  明るさ調節部
１４０  設定画面
１６２  マーク部分
１６４  背景部分
【図１】
2007159016.tif 000003
【図２】
2007159016.tif 000004
【図３】
2007159016.tif 000005
【図４】
2007159016.tif 000006
【図５】
2007159016.tif 000007
【図６】
2007159016.tif 000008
【図７】
2007159016.tif 000009
【図８】
2007159016.tif 000010
【図９】
2007159016.tif 000011
【図１０】
2007159016.tif 000012
【図１１】
2007159016.tif 000013
【図１２】
2007159016.tif 000014
【図１３】
2007159016.tif 000015
【図１４】
2007159016.tif 000016